(57)【要約】【課題】脚片部の高さを微調節でき、支持片部と、脚片部とを確実に連結固定する。【解決手段】笠木、棟木Ｍ等を支持する受部１１の下方に脚片部１２を連設した上部受金具１と、屋根頂部Ｙに固定される取付座部２１の上方に支持片部２２を連設した下部台座体２と、上記支持片部２２に対して上記脚片部１２の高さ位置を調節して連結固定する高さ調節機構３とを備えた棟用受金具において、上記高さ調節機構３は、上記脚片部１２又は支持片部２２の何れか一方に、上下に向けて長孔１３を形成し、他方には、上記長孔１３に係止される係止部２３を設け、且つ、上記脚片部１２を所望の位置で支持片部２２に圧接させて、両者を連結固定する固定手段３１を設けている。【選択図】図１
2004211348.tif 000002
【特許請求の範囲】
【請求項１】
笠木、棟木等を支持する受部の下方に脚片部を連設した上部受金具と、
屋根頂部に固定される取付座部の上方に支持片部を連設した下部台座体と、
上記支持片部に対して上記脚片部の高さ位置を調節して連結固定する高さ調節機構とを備えた棟用受金具において、
上記高さ調節機構は、上記脚片部又は支持片部の何れか一方に、上下に向けて長孔を形成し、他方には、上記長孔に係止される係止部を設け、且つ、
上記脚片部を所望の位置で支持片部に圧接させて、両者を連結固定する固定手段を設けたことを特徴とする棟用受金具。
【請求項２】
請求項１において、
上記長孔の長手方向の両側壁には、凹凸部を連設し、この凹凸部の凹所に上記係止部が係止されるようにしたことを特徴とする棟用受金具。
【請求項３】
請求項１において、
上記固定手段は、上記係止部が設けられた支持片部又は脚片部に、上記長孔に重合されるボルト孔を開設し、このボルト孔と長孔にボルトを貫通し、そのボルト先端をナットで締め付ける構造にしたことを特徴とする棟用受金具。
【請求項４】
請求項１又は２の何れかにおいて、
上記固定手段は、上記係止部が設けられた支持片部又は脚片部に、上記長孔に重合されるネジ孔を開設し、上記長孔にボルトを貫通し、そのボルト先端を上記ネジ孔に締め付ける構造にしたことを特徴とする棟用受金具。
【請求項５】
請求項１又は２の何れかにおいて、
上記固定手段は、上記係止部が設けられた支持片部又は脚片部に、上記長孔に重合される軸孔を開設し、この軸孔と長孔に連結軸を貫通し、この連結軸の一端に回転式又はスライド式の操作レバーを連結し、この操作レバーのロック操作によって、上記脚片部を支持片部に圧接させて、両者を連結固定する構造にしたことを特徴とする棟用受金具。
【請求項６】
請求項１又は２の何れかにおいて、
上記固定手段は、上記係止部が設けられた支持片部又は脚片部に、連結軸を貫通する軸孔を開設し、この連結軸に回転式の操作レバーを連結し、この操作レバーのロック操作によって、上記脚片部を支持片部に圧接させて、両者を連結固定する構造にしたことを特徴とする棟用受金具。
【請求項７】
笠木、棟木等を支持する受部の下方に脚片部を連設した上部受金具と、
屋根頂部に固定される取付座部の上方に支持片部を連設した下部台座体と、
上記支持片部に対して上記脚片部の高さ位置を調節して連結固定する高さ調節機構とを備えた棟用受金具において、
上記高さ調節機構は、上記脚片部又は支持片部の何れか一方に、上下に向けて両側壁に凹凸部が連設された長孔を形成し、他方には、上記長孔に重合される１以上の係止穴部を設け、この長孔の凹凸部の凹所と係止穴部とを貫通し、その先端を折曲して、上記脚片部を所望の位置で支持片部に連結固定する係止具を設けたことを特徴とする棟用受金具。
【請求項８】
笠木、棟木等を支持する受部の下方に脚片部を連設した上部受金具と、
屋根頂部に固定される取付座部の上方に支持片部を連設した下部台座体と、
上記支持片部に対して上記脚片部の高さ位置を調節して連結固定する高さ調節機構とを備えた棟用受金具において、
上記高さ調節機構は、上記脚片部又は支持片部の何れか一方に、上下に向けて両側壁に凹凸部が連設された長孔を形成し、他方には、上記長孔の凹凸部の凹所に係止される押込爪片を設け、この押込爪片を押込んで、上記脚片部を所望の位置で支持片部に連結固定することを特徴とする棟用受金具。
【請求項９】
請求項１〜８の何れかにおいて、
上記受部及び取付座部の少なくとも一方には、１以上の釘孔又はネジ孔を設けたことを特徴とする棟用受金具。
【請求項１０】
請求項１〜９の何れかにおいて、
上記受部及び取付座部の少なくとも一方には、その一部を切り起こして形成した打込爪片を設けたことを特徴とする棟用受金具。
【請求項１１】
請求項１〜１０の何れかにおいて、
上記支持片部と脚片部との高さ調節レベルを表示する目盛部を適所に設けたことを特徴とする棟用受金具。
【発明の詳細な説明】
【０００１】
【発明の属する技術分野】
本発明は、屋根頂部の棟部分に用いられる棟用受金具に関する。
【０００２】
【従来の技術】
従来から屋根頂部の棟部分には、笠木、棟木等を支持固定するための棟用受金具が用いられている。
【０００３】
この棟用受金具は、笠木、棟木等を支持する受部の下方に脚片部を連設した上部受金具と、屋根頂部に固定される取付座部の上方に支持片部を連設した下部台座体と、上記支持片部に対して上記脚片部の高さ位置を調節して連結固定する高さ調節機構とを備えて成り、屋根頂部の野地板上に取付座部を釘、ネジ等で固定した後、その上方に設けた支持片部と、上部受金具の脚片部とを、高さ調節したうえで、ボルト、ナットで連結固定し、脚片部の上端に設けた受部に笠木、棟木等を固定して、これを支持するものである（例えば、特許文献１参照。）。
【０００４】
【特許文献１】
特開平１０−２４５９３９号公報（図１）
【０００５】
【発明が解決しようとする課題】
しかし、従来の高さ調節機構は、支持片部と、脚片部との高さ方向に各々形成された複数の断続的な穴部を重合させて、それらの穴部にボルトを貫通させて、これにナットを締め付けて連結固定するという構造のものであった。
【０００６】
そのため、断続的に形成された穴部のスパンでしか高さを調節することができず、脚片部の高さを微調節できないという問題があった。
【０００７】
本発明は、かかる課題を解決することを目的とするもので、脚片部の高さを微調節できるうえ、支持片部と、脚片部とを確実に連結固定できる棟用受金具を提供している。
【０００８】
【課題を解決するための手段】
上記目的を達成するため、
請求項１に係る棟用受金具は、笠木、棟木等を支持する受部の下方に脚片部を連設した上部受金具と、屋根頂部に固定される取付座部の上方に支持片部を連設した下部台座体と、上記支持片部に対して上記脚片部の高さ位置を調節して連結固定する高さ調節機構とを備えた棟用受金具において、上記高さ調節機構は、上記脚片部又は支持片部の何れか一方に、上下に向けて長孔を形成し、他方には、上記長孔に係止される係止部を設け、且つ、上記脚片部を所望の位置で支持片部に圧接させて、両者を連結固定する固定手段を設けたことを特徴とする。
【０００９】
このものでは、高さ調節機構として、長孔を形成しているので、脚片部の高さ位置を、この長孔に沿って微調節できる。
【００１０】
また、高さ調節した後は、固定手段によって、脚片部と支持片部を圧接すると共に、長孔に係止部が係止されるので、両者を確実に連結固定できる。
【００１１】
請求項２に係る棟用受金具は、請求項１において、上記長孔の長手方向の両側壁には、凹凸部を連設し、この凹凸部の凹所に上記係止部が係止されるようにしている。
【００１２】
このものでは、凹凸部の凹所に上記係止部が係止されるので、脚片部と支持片部を、より確実に連結固定できる。
【００１３】
請求項３に係る棟用受金具は、請求項１において、上記固定手段は、上記係止部が設けられた支持片部又は脚片部に、上記長孔に重合されるボルト孔を開設し、このボルト孔と長孔にボルトを貫通し、そのボルト先端をナットで締め付ける構造にしている。
【００１４】
このものでは、ボルト、ナットによって、脚片部と支持片部を、確実に圧接して連結固定できる。
【００１５】
請求項４に係る棟用受金具は、請求項１又は２の何れかにおいて、上記固定手段は、上記係止部が設けられた支持片部又は脚片部に、上記長孔に重合されるネジ孔を開設し、上記長孔にボルトを貫通し、そのボルト先端を上記ネジ孔に締め付ける構造にしたことを特徴とする。
【００１６】
このものでは、ナットが不要であり、ボルトを締め付けるだけで、脚片部と支持片部を確実に圧接して連結固定できる。
【００１７】
請求項５に係る棟用受金具は、請求項１又は２の何れかにおいて、上記固定手段は、上記係止部が設けられた支持片部又は脚片部に、上記長孔に重合される軸孔を開設し、この軸孔と長孔に連結軸を貫通し、この連結軸の一端に回転式又はスライド式の操作レバーを連結し、この操作レバーのロック操作によって、上記脚片部を支持片部に圧接させて、両者を連結固定する構造にしたことを特徴とする。
【００１８】
このものでは、操作レバーを回転又はスライド操作するだけで、脚片部と支持片部を簡単に圧接して連結固定できる。
【００１９】
請求項６に係る棟用受金具は、請求項１又は２の何れかにおいて、上記固定手段は、上記係止部が設けられた支持片部又は脚片部に、連結軸を貫通する軸孔を開設し、この連結軸に回転式の操作レバーを連結し、この操作レバーのロック操作によって、上記脚片部を支持片部に圧接させて、両者を連結固定する構造にしたことを特徴とする。
【００２０】
このものでは、操作レバーを回転操作するだけで、脚片部と支持片部を簡単に圧接して連結固定できる。
【００２１】
請求項７に係る棟用受金具は、笠木、棟木等を支持する受部の下方に脚片部を連設した上部受金具と、棟に固定される取付座部の上方に支持片部を連設した下部台座体と、上記支持片部に対して上記脚片部の高さ位置を調節して連結固定する高さ調節機構とを備えた棟用受金具において、上記高さ調節機構は、上記脚片部又は支持片部の何れか一方に、上下に向けて両側壁に凹凸部が連設された長孔を形成し、他方には、上記長孔に重合される１以上の係止穴部を設け、この長孔の凹凸部の凹所と係止穴部とを貫通し、その先端を折曲して、上記脚片部を所望の位置で支持片部に連結固定する係止具を設けたことを特徴とする。
【００２２】
このものでは、脚片部の高さを、長孔に沿って微調節でき、所望の位置で係止具を差し込んで折曲するだけで、脚片部と支持片部とを簡単に連結固定できる。
【００２３】
請求項８に係る棟用受金具は、笠木、棟木等を支持する受部の下方に脚片部を連設した上部受金具と、棟に固定される取付座部の上方に支持片部を連設した下部台座体と、上記支持片部に対して上記脚片部の高さ位置を調節して連結固定する高さ調節機構とを備えた棟用受金具において、上記高さ調節機構は、上記脚片部又は支持片部の何れか一方に、上下に向けて両側壁に凹凸部が連設された長孔を形成し、他方には、上記長孔の凹凸部の凹所に係止される押込爪片を設け、この押込爪片を押込んで、上記脚片部を所望の位置で支持片部に連結固定することを特徴とする。
【００２４】
このものでは、押込爪片を押込むだけで、脚片部と支持片部とを所望の位置で簡単に連結固定できる。
【００２５】
請求項９に係る棟用受金具は、請求項１〜８の何れかにおいて、上記受部及び取付座部の少なくとも一方には、１以上の釘孔又はネジ孔を設けたことを特徴とする。
【００２６】
このものでは、釘、ネジを釘孔又はネジ孔に差し込んで、笠木、棟木等と受部、或いは、取付座部と屋根頂部とを確実に固定できる。
【００２７】
請求項１０に係る棟用受金具は、請求項１〜９の何れかにおいて、上記受部及び取付座部の少なくとも一方には、その一部を切り起こして形成した打込爪片を設けたことを特徴とする。
【００２８】
このものでは、打込爪片を打込むことによって、笠木、棟木等と受部、或いは、取付座部と屋根頂部とを簡単に固定できる。
【００２９】
請求項１１に係る棟用受金具は、請求項１〜１０の何れかにおいて、上記支持片部と脚片部との高さ調節レベルを表示する目盛部を適所に設けたことを特徴とする。
【００３０】
このものでは、目盛部を見ながら、その高さ調節を簡単且つ正確にできる。
【００３１】
【発明の実施の形態】
図１は、本発明に係る棟用受金具の第１実施例を示す分解斜視図、図２は、図１の使用状態を説明するための要部の概略断面図である。
【００３２】
この棟用受金具Ａは、上部受金具１と、下部台座体２と、これらの高さ位置を調節して連結固定する高さ調節機構３とで構成している。
【００３３】
以下、各部材について詳説する。
【００３４】
上部受金具１は、笠木、棟木Ｍ等を支持する受部１１の下方に脚片部１２を連設して形成している。
【００３５】
受部１１には、笠木、棟木Ｍ等を釘、ネジ等にて確実に固定するための釘孔（又はネジ孔）１１ａを設けている。
【００３６】
本実施例の上部受金具１は、上方に向けて開放された断面略コ字状の受部１１の下方に、一側壁面が開放された略筺状の脚片部１２を連設して、その強度を高めたものであるが、この形状に限定されるものではなく、少なくとも上、下方向に長い脚片部１２を設けたものであれば良い。
【００３７】
この脚片部１２には、上下に向けて長孔１３を形成するのであるが、本図では、この長孔１３として、更に、その長手方向の両側壁に凹凸部１３ａを連設して形成したものを示している。
【００３８】
また、この長孔１３が形成された脚片部１２に隣接する脚片部側壁１２ａの外面には、高さ方向に向けて、高さ調節レベルを目盛で表示した目盛部１４を設けている。
【００３９】
下部台座体２は、屋根頂部Ｙに固定される取付座部２１の上方に支持片部２２を連設して形成している。
【００４０】
取付座部２１には、釘、ネジ等にて屋根頂部Ｙと確実に固定するための釘孔（又はネジ孔）２１ａを設けている。
【００４１】
また、この釘孔２１ａに代えて、或いは釘孔２１ａに加えて、取付座部２１の一部を切り起こして形成した打込爪片２１ｂを設けても良く、このような打込爪片２１ｂを打込むだけで取付座部２１と屋根頂部Ｙとを簡単に固定することもできる。
【００４２】
本実施例の下部台座体２は、取付座部２１の上方に、上記脚片部１２を外装するような一側壁面が開放された略筺状の支持片部２２を連設している。
【００４３】
また、支持片部２２には、長孔１３の凹凸部１３ａの凹所に係止される１以上の係止部２３を形成し、この係止部２３が凹凸部１３ａの凹所に係止されることで、脚片部１２と支持片部２２との連結固定をより確実にできる。
【００４４】
高さ調節機構３は、長孔１３と、係止部２３と、固定手段３１とで構成しており、この固定手段３１には、様々な構造のものを採用できる。
【００４５】
先ず、図１で示した固定手段３１は、脚片部１２を所望の位置で支持片部２２に圧接させて、両者を連結固定する構造のものであり、具体的には、長孔１３に重合されるボルト孔２４を開設し、このボルト孔２４と長孔１３にボルト３１ａを貫通し、そのボルト３１ａ先端をナット３１ｂで締め付ける構造にしたものである。ここでのボルト孔２４は、角孔に形成し、これに嵌合される根角部３１ｃを設けたボルト３１ａを用いることで、廻り防止をしている。なお、３１ｄは、バネワッシャである。
【００４６】
このような本発明の棟用受金具Ａによれば、長孔１３を形成しているので、脚片部１２の高さ位置を、この長孔１３に沿って微調節できる。
【００４７】
また、高さ調節した後は、固定手段３１によって、脚片部１２と支持片部２２を圧接すると共に、長孔１３に係止部２３が係止されるので、両者を確実に連結固定できる。
【００４８】
図３は、本発明に係る棟用受金具の第２実施例を示す分解斜視図である。
【００４９】
なお、図１、図２と共通する部位には、共通の番号を付し、その説明は省略する。
【００５０】
この棟用受金具Ａは、固定手段３１として係止部２３を設けた支持片部２２に、長孔１３に重合されるネジ孔２５を開設した点に特徴があり、長孔１３に蝶ボルト３１ａ’を貫通したうえで、その蝶ボルト３１ａ’先端をネジ孔２５に締め付ける構造にしたものである。
【００５１】
このような棟用受金具Ａによれば、上述のようなナットが不要であり、蝶ボルト３１ａ’を締め付けるだけで、脚片部１２と支持片部２２を確実に圧接して連結固定できる。
【００５２】
図４、図５は、本発明に係る棟用受金具の第３実施例を示す分解斜視図である。
【００５３】
なお、図１、図２と共通する部位には、共通の番号を付し、その説明は省略する。
【００５４】
この棟用受金具Ａは、固定手段３１として、係止部２３を設けた支持片部２２に、長孔１３に重合される軸孔２６を開設し、この軸孔２６と長孔１３に連結軸３１ａ”を貫通し、この連結軸３１ａ”の先端に図４で示すような膨出部３１ｃ”を備えた回転式の操作レバー３１ｂ”又は図５で示すようなスライド式の操作レバー３１ｂ”を連結してカシメ止めされ、これらの操作レバー３１ｂ”のロック操作によって、脚片部１２を支持片部２２に圧接させて、両者を連結固定する構造にしたことを特徴とする。
【００５５】
なお、連結軸３１ａ”の基端は、長孔１３の周縁に掛止する大きさに形成しており、また、操作レバー３１ｂ”としては、図４、図５で示した構造以外のものでも良い。
【００５６】
すなわち、この棟用受金具Ａでは、操作レバー３１ｂ”を回転又はスライド操作することによって、その膨出部３１ｃ”が支持片部２２表面に乗り上げ、膨出部３１ｃ”の膨出寸法分だけ連結軸３１ａ”を引っ張ることで、脚片部１２を支持片部２２に圧接させて、両者を連結固定し、そのロック操作が行われる。
【００５７】
そのため、このような棟用受金具Ａによれば、操作レバー３１ｂ”を回転又はスライド操作することによって、脚片部１２と支持片部２２を簡単に圧接して連結固定できる。
【００５８】
図６は、本発明に係る棟用受金具の第４実施例を示す分解斜視図である。
【００５９】
なお、図１、図２と共通する部位には、共通の番号を付し、その説明は省略する。
【００６０】
この棟用受金具Ａは、固定手段３１として、係止部２３を設けた支持片部２２の対向する一対の側壁面２２’に、連結軸３１ａ”を貫通する軸孔２６’を開設し、この連結軸３１ａ”に、軸孔２６’からの半径が徐々に大きく形成されたカム部３１ｄ”を備えた回転式の操作レバー３１ｂ”を連結し、この操作レバー３１ｂ”のロック操作によって、脚片部１２を支持片部２２に圧接させて、両者を連結固定する構造にしたことを特徴とする。
【００６１】
すなわち、この棟用受金具Ａでは、操作レバー３１ｂ”を図中矢印で示すように、連結軸３１ａ”の周方向に回転操作することによって、そのカム部３１ｄ”が長孔１３周縁の内面を押圧し、カム部３１ｄ”の高さ分だけ脚片部１２を圧接することで、脚片部１２と支持片部２２を簡単に圧接して連結固定できる。
そのため、このような棟用受金具Ａによれば、操作レバー３１ｂ”を回転操作するだけで、脚片部１２と支持片部２２を簡単に圧接して連結固定できる。
【００６２】
図７は、本発明に係る棟用受金具の第５実施例を示す分解斜視図である。
【００６３】
なお、図１〜図６と共通する部位には、共通の番号を付し、その説明は省略する。
【００６４】
この棟用受金具Ａは、図１〜図６のものとは異なり、脚片部１２を支持片部２２に圧接させる固定手段３１を設けることなく、両者を連結固定する構造のものを示している。
【００６５】
すなわち、ここでの高さ調節機構３は、脚片部１２の上下に向けて両側壁に凹凸部１３ａが連設された長孔１３を形成し、支持片部２２には、長孔１３に重合される１以上の係止穴部２７を設け、この長孔１３の凹凸部１３ａの凹所と係止穴部２７とを貫通し、その先端を折曲して脚片部１２を所望の位置で支持片部２２に連結固定する断面略コ字状の係止具３２とで構成している。
【００６６】
このような棟用受金具Ａによれば、脚片部１２の高さを、長孔１３に沿って微調節でき、所望の位置で係止具３２を差し込んで折曲するだけで、脚片部１２と支持片部２２とを簡単に連結固定できる。
【００６７】
また、係止具３２を連結固定した後に、その先端を折曲しているので、係止具３２の抜け外れを防止できる。
【００６８】
図８は、本発明に係る棟用受金具の第６実施例を示す分解斜視図である。
【００６９】
なお、図１〜図６と共通する部位には、共通の番号を付し、その説明は省略する。
【００７０】
この棟用受金具Ａは、図７と同様、脚片部１２を支持片部２２に圧接する固定手段３１を設けることなく、両者を連結固定する構造のものである。
【００７１】
すなわち、ここでの高さ調節機構３は、脚片部１２の上下に向けて、両側壁に凹凸部１３ａが連設された長孔１３を形成し、支持片部２２には、長孔１３の凹凸部１３ａの凹所に係止される押込爪片２８を設け、この押込爪片２８を押込んで、脚片部１２を所望の位置で支持片部２２に連結固定するものである。なお、押込爪片２８は、脚片部１２又は支持片部２２の何れか一方を切り起して、一体的に形成している。
【００７２】
このような棟用受金具Ａによれば、押込爪片２８を押込むだけで、脚片部１２と支持片部２２とを所望の位置で簡単に連結固定できる。
【００７３】
【発明の効果】
本発明により、以下の効果を奏することができる。
【００７４】
請求項１に係る棟用受金具によれば、高さ調節機構として、長孔を形成しているので、脚片部の高さ位置を、この長孔に沿って微調節できる。
【００７５】
また、高さ調節した後は、固定手段によって、脚片部と支持片部を圧接すると共に、長孔に係止部が係止されるので、両者を確実に連結固定できる。
【００７６】
請求項２に係る棟用受金具によれば、凹凸部の凹所に上記係止部が係止されるので、脚片部と支持片部を、より確実に連結固定できる。
【００７７】
請求項３に係る棟用受金具によれば、ボルト、ナットによって、脚片部と支持片部を、確実に圧接して連結固定できる。
【００７８】
請求項４に係る棟用受金具によれば、ナットが不要であり、ボルトを締め付けるだけで、脚片部と支持片部を確実に圧接して連結固定できる。
【００７９】
請求項５に係る棟用受金具によれば、操作レバーを回転又はスライド操作するだけで、脚片部と支持片部を簡単に圧接して連結固定できる。
【００８０】
請求項６に係る棟用受金具によれば、操作レバーを回転操作するだけで、脚片部と支持片部を簡単に圧接して連結固定できる。
【００８１】
請求項７に係る棟用受金具によれば、脚片部の高さを、長孔に沿って微調節でき、所望の位置で係止具を差し込んで折曲するだけで、脚片部と支持片部とを簡単に連結固定できる。
【００８２】
請求項８に係る棟用受金具によれば、押込爪片を押込むだけで、脚片部と支持片部とを所望の位置で簡単に連結固定できる。
【００８３】
請求項９に係る棟用受金具によれば、釘、ネジを釘孔又はネジ孔に差し込んで、笠木、棟木等と受部、或いは、取付座部と屋根頂部とを確実に固定できる。
【００８４】
請求項１０に係る棟用受金具によれば、打込爪片を打込むことによって、笠木、棟木等と受部、或いは、取付座部と屋根頂部とを簡単に固定できる。
【００８５】
請求項１１に係る棟用受金具によれば、目盛部を見ながら、その高さ調節を簡単且つ正確にできる。
【図面の簡単な説明】
【図１】本発明に係る棟用受金具の第１実施例を示す分解斜視図
【図２】図１の使用状態を説明するための要部の概略断面図
【図３】本発明に係る棟用受金具の第２実施例を示す分解斜視図
【図４】本発明に係る棟用受金具の第３実施例（回転式操作レバー）を示す分解斜視図
【図５】本発明に係る棟用受金具の第３実施例（スライド式操作レバー）を示す分解斜視図
【図６】本発明に係る棟用受金具の第４実施例を示す分解斜視図
【図７】本発明に係る棟用受金具の第５実施例を示す分解斜視図
【図８】本発明に係る棟用受金具の第６実施例を示す分解斜視図
【符号の説明】
Ａ      棟用受金具
Ｍ      棟木
Ｙ      屋根頂部
１      上部受金具
１１    受部
１２    脚片部
１３    長孔
１３ａ  凹凸部
２      下部台座体
２１    取付座部
２２    支持片部
２３    係止部
２４    ボルト孔
２５    ネジ孔
２６    軸孔
２６’  軸孔
２７    係止穴部
２８    押込爪片
３      高さ調節機構
３１    固定手段
３１ａ  ボルト
３１ａ’（蝶）ボルト
３１ａ”連結軸
３１ｂ  ナット
３１ｂ”操作レバー
３２    係止具
【図１】
2004211348.tif 000003
【図２】
2004211348.tif 000004
【図３】
2004211348.tif 000005
【図４】
2004211348.tif 000006
【図５】
2004211348.tif 000007
【図６】
2004211348.tif 000008
【図７】
2004211348.tif 000009
【図８】
2004211348.tif 000010